(57)【要約】  表示装置は、画像を表示する別々にアドレス可能な複数の画素（６４）を有する表示パネル（６２）であって、上記複数の画素のうちの第１のグループ（６４ａ）が第１の偏光状態（Ｐ）の光を提供するように構成され、上記複数の画素のうちの第２のグループ（６４ｂ）が第２の偏光状態（Ｓ）の光を提供するように構成される表示パネル（６２）、および上記表示パネルに光学的に関連し上記光を部分的に遮蔽するバリア層（６８）であって、上記第１および第２の偏光状態のうちの一方の偏光状態の光を通過させる複数の第１の領域（７２）と、上記第１および第２の偏光状態のうちの他方の偏光状態の光を通過させる複数の第２の領域（７４）と、上記光を遮蔽する複数の第３の領域（７６）と、を有するバリア層（６８）、を有し、上記バリア層の第１の領域（７２）および第２の領域（７４）は、それぞれ、上記表示パネルによって表示される画像の異なるビューを提供するように、画素の第１のグループ（６４ａ）および第２のグループ（６４ｂ）に位置合わせされる。
2007506130.tif 000002
【特許請求の範囲】
【請求項１】
画像を表示する別々にアドレス可能な複数の画素を有する表示パネルであって、前記複数の画素のうちの第１のグループが第１の偏光状態の光を提供するように構成され、前記複数の画素のうちの第２のグループが第２の偏光状態の光を提供するように構成される表示パネル、および
前記表示パネルに光学的に関連し前記光を部分的に遮蔽するバリア層であって、前記第１および第２の偏光状態のうちの一方の偏光状態の光を通過させる複数の第１の領域と、前記第１および第２の偏光状態のうちの他方の偏光状態の光を通過させる複数の第２の領域と、前記光を遮蔽する複数の第３の領域と、を有するバリア層、
を有する表示装置であって、
前記バリア層の第１および第２の領域は、それぞれ、前記表示パネルによって表示される画像の異なるビューを提供するように、画素の前記第１および第２のグループに位置合わせされる、表示装置。
【請求項２】
前記バリア層の前記複数の第１の領域の各々は前記第１の偏光状態の光を通過させ、前記バリア層の前記複数の第２の領域の各々は前記第２の偏光状態の光を通過させる、請求項１に記載の表示装置。
【請求項３】
前記バリア層の前記複数の第１の領域の各々は前記第２の偏光状態の光を通過させ、前記バリア層の前記複数の第２の領域の各々は前記第１の偏光状態の光を通過させる、請求項１に記載の表示装置。
【請求項４】
前記表示パネルの前記各グループは、間隔を置いて離れて配された複数の画素ユニットを有する、請求項１〜３のうちのいずれか一項に記載の表示装置。
【請求項５】
前記第１のグループを形成する画素ユニットは、前記第２のグループを形成する画素ユニットと交互に表れる、請求項４に記載の表示装置。
【請求項６】
前記各画素ユニットは複数の画素を有する、請求項４又は５に記載の表示装置。
【請求項７】
前記各画素ユニットは２つの画素を有する、請求項６に記載の表示装置。
【請求項８】
前記各画素ユニットは３つの画素を有する、請求項６に記載の表示装置。
【請求項９】
前記表示パネルの隣接した画素は、互いに分離されている、請求項１〜８のうちのいずれか一項に記載の表示装置。
【請求項１０】
前記隣接した画素は、ブラックマトリックスによって互いに分離されている、請求項９に記載の表示装置。
【請求項１１】
前記各異なるビューの視野角は約９０度である、請求項１〜１０のうちのいずれか一項に記載の表示装置。
【請求項１２】
隣接した前記異なるビューの間の角度が約１０度である、請求項１〜１１のうちのいずれか一項に記載の表示装置。
【請求項１３】
前記第１および第２の偏光状態は円偏光状態である、請求項１〜１２のうちのいずれか一項に記載の表示装置。
【請求項１４】
前記第１および第２の偏光状態は直線偏光状態である、請求項１〜１２のうちのいずれか一項に記載の表示装置。
【請求項１５】
画像の異なるビューを表示する方法であって、前記方法が、
表示パネルの別々にアドレス可能な複数の画素であって、前記複数の画素のうちの第１のグループが第１の偏光状態の光を提供し、前記複数の画素のうちの第２のグループが第２の偏光状態の光を提供するようにグループ分けされている複数の画素から、画像を形成するステップ、
前記表示パネルに光学的に関連するバリア層であって、前記第１および第２の偏光状態のうちの一方の偏光状態の光を通過させる複数の第１の領域と、前記第１および第２の偏光状態のうちの他方の偏光状態の光を通過させる複数の第２の領域と、前記光を遮蔽する複数の第３の領域と、を有するバリア層によって、前記光を部分的に遮蔽するステップ、
を有し、
前記バリア層は、前記バリア層の第１および第２の領域が、それぞれ、画素の前記第１および第２のグループに位置合わせされるように配される、方法。
【請求項１６】
前記バリア層の前記複数の第１の領域が前記第１の偏光状態の光を通過させ、前記バリア層の前記複数の第２の領域が前記第２の偏光状態の光を通過させるように、前記バリア層を前記表示パネルに対して位置決めするステップを有する、請求項１５に記載の方法。
【請求項１７】
前記バリア層の前記複数の第１の領域が前記第２の偏光状態の光を通過させ、前記バリア層の前記複数の第２の領域が前記第１の偏光状態の光を通過させるように、前記バリア層を前記表示パネルに対して位置決めするステップを有する、請求項１５に記載の方法。
【請求項１８】
図６〜図１１ｃを基準にして実質的に記載された表示装置。
【請求項１９】
図６〜図１１ｃを基準にして実質的に記載された方法。
【発明の詳細な説明】
【技術分野】
【０００１】
本発明は、表示装置、特に、複数のユーザの各々が一人以上の他のユーザとは異なる画像をみることができるマルチビュー表示装置に関する。
【背景技術】
【０００２】
三次元画像の生成には、一般に、表示装置が表示装置のユーザの左目と右目に異なる像を提供できることが必要である。これは、特別に構成されたゴーグルを使用することによってユーザの左目および右目の各々に直接に別々の画像を与えることにより達成できる。一例では、ディスプレイが、交番する左右の像を時系列的に提供し、この左右の像が、同期型の表示ゴーグルにより観察者の対応する方の目に入る。
【０００３】
対照的に、本発明は、単一表示パネルに対する視野角に応じて異なるビューを見ることができる種類の表示装置に関する。以下では、これらの表示装置は、一般的に、マルチビュー表示装置と呼ぶ。しかし、これらの種類の表示装置は三次元表示装置に限られず、複数の画像を表示するが立体的な画像を表示しない装置も含まれると理解すべきである。
【０００４】
本発明は、特に、２つのビューを表示するマルチビュー表示装置に関する。斯かる装置は、デュアルビュー表示装置と呼ばれる。
【０００５】
１つの既知の種類の３Ｄ表示装置は、パララックスバリア方式が実現されている液晶ディスプレイである。斯かるシステムが図１に示されている。
【０００６】
図１について、パララックスバリア型の表示装置１００は、分離した複数の光源を備えたバックパネル１１を有する。図示されているように、バックパネル１１は、表面に分散した複数のスリット１４ａ〜１４ｄを有する不透明なマスク又はバリア層１３で覆われた面状光源１２（フォトルミネセントパネルなど）によって形成することができる。スリット１４の各々は、ライン光源としての役割を果たす。
【０００７】
液晶表示パネル（ＬＣＤ）１５は、複数の画素（図１に、例えば１〜１０の番号が付されている）を有しており、これら複数の画素は、それぞれの画素の光透過特性を変化させるために、既知の技術に従って電気信号によって別々にアドレス可能である。バックパネル１１は、ライン光源１４の各々が画素のグループ１６に対応するように、ＬＣＤパネル１５に対し近くに位置している。例えば、グループ１６１として示される画素１〜５はスリット１４ａに対応し、グループ１６２として示される画素６〜１０はスリット１４ｂに対応する、などである。
【０００８】
画素のグループ１６の各画素は、画像の可能な複数のビュー（Ｖ−２，Ｖ−１，Ｖ０，Ｖ１，Ｖ２）のうちの１つのビューＶに対応しており、そのビューに対応する画素１〜５のうちの１つの画素を通じてライン源１４ａを見ることができるようにしている。各グループ１６の画素の数は、提示される画像のビューの数を決定し、図示される構成では、５つである。ビューの数が増えれば増えるほど、３Ｄ効果はリアルになり、もっと斜めの視野角が提供される。
【０００９】
本明細書にわたって、表示されている「画像」は、表示パネルの全画素によって生じる全体の画像として言及されており、この画像は、特定の視野角によって決定される複数の「ビュー」から成る。
【００１０】
マルチビュー表示装置の別の用途は、各ビューを他の各ビューとは無関係にできるような複数のビューを表示することである。各ビューを、別のユーザには別のビューに見えるようにできる。斯かる装置は、例えばドライバおよび同乗者が同じ画面上に提示される異なる情報を見ることが望まれるような自動車分野において特別な用途を有する。例えば、ドライバはルートプランナーを見ることができるが、同乗者はｅメールを見る又はＤＶＤを見る。
【００１１】
斯かるマルチビューディスプレイでは、複数のビューからの情報が同時に見える領域、即ちクロストークの領域、は最小に保持されなければならない。加えて、ビューゾーンは、一般に、大きくなければならない。
【００１２】
特に、自動車用途では、ドライバが同乗者に提示される情報を見ることができないことは、安全性の理由により重要である。
【００１３】
今までのところ知られている大部分の装置では、ドライバを対象としたビューゾーンと同乗者を対象としたビューゾーンとの間に、両者の情報を同時に見ることができるゾーンが存在している。この領域には、クロストークがある。自動車の用途では、クロストークは望ましくない。その理由は、例えば、座席の後部列の中央に座っている同乗者がちょうどクロストーク領域に座って情報を混同して認識するからである。
【００１４】
図２に、既知のマルチビュー表示装置が示されている。表示装置２０は、ＬＣＤディスプレイ２４の前に置かれたレンズ状の画面２２を有する。この装置を使用しても、自動立体画像が作られるように、異なるサブ画素からの情報がそれぞれユーザの左目および右目に向けられるマルチビュー３Ｄディスプレイを作ることができる。この既知の装置の不利な点は、０．５ｍｍ又は１．１ｍｍの厚さのガラスを有する現在利用可能なＬＣＤ画面を用いて、大きな視野角を得ることは可能でないということである。特に、デュアルビューディスプレイでは、視野角が大きく、異なるビューの間の角度が小さいことが必要である。しかし、ガラスの厚さが大きくなればなるほど、視野角は小さくなる。更に、クロストークだけが存在する大きな領域がある。
【００１５】
フロントバリアを使用して図３に示すような２つ以上のビューを作り出すことも知られている。この装置３０は、ＬＣＤパネル３２とフロントバリア３４とを有する。装置３０を使用して自動立体画像ディスプレイを作ることもできる。やはり、この装置は、ビューゾーン３６、３８が小さくなり、クロストーク４０が大きい。加えて、この装置は、バリアによって多くの光がブロックされるので、あまり明るくなく効率的ではない。
【００１６】
３次元立体画像を表示するのに使用される既知のマルチビュー表示装置は、複数のビューを表示し、この複数のビューの各々は、フィールドビューが比較的狭い。加えて、隣接するビューの間に、ほとんど又は全く距離がない。
【発明の開示】
【発明が解決しようとする課題】
【００１７】
本発明の目的は、複数のビューの各々が比較的大きい視界を有し、異なるビューの間のクロストークがほとんど又は全く存在しないマルチビュー表示装置を提供することにある。
【課題を解決するための手段】
【００１８】
本発明の第１の態様によれば、表示装置が提供される。この表示装置は、
画像を表示する別々にアドレス可能な複数の画素を有する表示パネルであって、上記複数の画素のうちの第１のグループが第１の偏光状態の光を提供するように構成され、上記複数の画素のうちの第２のグループが第２の偏光状態の光を提供するように構成される表示パネル、および
上記表示パネルに光学的に関連し上記光を部分的に遮蔽するバリア層であって、上記第１および第２の偏光状態のうちの一方の偏光状態の光を通過させる複数の第１の領域と、上記第１および第２の偏光状態のうちの他方の偏光状態の光を通過させる複数の第２の領域と、上記光を遮蔽する複数の第３の領域と、を有するバリア層、を有し、
上記バリア層の第１および第２の領域は、それぞれ、上記表示パネルによって表示される画像の異なるビューを提供するように、画素の上記第１および第２のグループに位置合わせされる。
【００１９】
本発明によって、異なるビューの間の角度が比較的大きく、隣接するビューの間の角度が比較的小さいマルチビュー表示装置が提供される。
【００２０】
好ましくは、異なるビューの各々の視野角はおよそ９０°であるが、本発明によれば、もっと小さい視野角を提供することもできる。
【００２１】
好ましくは、隣接する異なるビューの間の角度はおよそ１０°であるが、本発明によれば、隣接するビューの間の角度をもっと小さく又はもっと大きくすることもできる。
【００２２】
本発明は、自動車又は他の乗り物用のマルチビュー表示装置を提供するのに、特に有用である。
【００２３】
本発明による表示装置を自動車用に使用することが意図されるときは、この表示装置は２つのビューを生成することが好ましく、これはデュアルビュー表示装置として知られている。
【００２４】
本発明による表示装置の一実施例では、上記バリア層の上記複数の第１の領域の各々は上記第１の偏光状態の光を通過させ、上記バリア層の上記複数の第２の領域の各々は上記第２の偏光状態の光を通過させる。
【００２５】
しかし、斯かる装置は、隣接するビューゾーンの間にクロストークをもたらし、このクロストークは、例えば、自動車の座席の後部列の、ドライバと前に座っている同乗者との間に座っている同乗者を混乱させるだろう。
【００２６】
したがって、上記バリア層の上記複数の第１の領域の各々は上記第２の偏光状態の光を通過させ、上記複数の第２の領域の各々は上記第１の偏光状態の光を通過させることが好ましい。
【００２７】
斯かる実施例では、隣接する２つのビューの間のクロストークは、あるにしても僅かである。デュアルビュー装置では、クロストークは、完全に又は主に、各ビュー領域の、他方のビュー領域から離れた側に生じる。
【００２８】
表示パネルの画素の各グループは、間隔を置いて離れて配された複数の画素ユニットを有することが有利である。上記第１のグループを形成する画素ユニットは、上記第２のグループを形成する画素ユニットと交互に表れることが好ましい。上記各画素ユニットは複数の画素を有することが有利である。
【００２９】
本発明による表示装置がデュアルビュー装置としての役割を果たすべきものである場合、各画素ユニットは２つの画素を有する。
【００３０】
各画素ユニットが複数の画素を有する装置では、表示装置によって複数のビューが生成される。
【００３１】
本発明の第１の態様による表示装置の好ましい特徴および有利な特徴は、請求項２〜請求項１４および請求項１８に記載されている。
【００３２】
本発明の第２の態様によれば、画像の異なるビューを表示する方法が提供される。この方法は、
表示パネルの別々にアドレス可能な複数の画素であって、上記複数の画素のうちの第１のグループが第１の偏光状態の光を提供し、上記複数の画素のうちの第２のグループが第２の偏光状態の光を提供するようにグループ分けされている複数の画素から、画像を形成するステップ、
上記表示パネルに光学的に関連するバリア層であって、上記第１および第２の偏光状態のうちの一方の偏光状態の光を通過させる複数の第１の領域と、上記第１および第２の偏光状態のうちの他方の偏光状態の光を通過させる複数の第２の領域と、上記光を遮蔽する複数の第３の領域と、を有するバリア層によって、上記光を部分的に遮蔽するステップ、
を有し、
上記バリア層は、上記バリア層の第１および第２の領域が、それぞれ、画素の上記第１および第２のグループに位置合わせされるように配される。
【００３３】
本発明の第２の態様の好ましい特徴および有利な特徴は、請求項１６、１７、および１９に記載されている。
【００３４】
本発明は、添付図面を基準にして、例として更に記載されている。
【発明を実施するための最良の形態】
【００３５】
図４ａおよび図４ｂを参照すると、図１に示される装置の画素によって生成される光信号がグラフを用いて示されている。光信号４１〜４６は、画素４１ａ〜４６ａから生成される。
【００３６】
図４ｂにおいて、以下の記号は、光信号４１〜４６を示す。記号Lは、光信号４１〜４６のいずれにも対応しないことに注意すべきである。
【表１】
2007506130.tif 000003
【００３７】
ＬＣＤ表示パネル１５を形成する画素は約３００μｍの長さであり、バリア１３のブラックマトリックスの幅は約２５μｍである。バリア１３を形成するガラスの厚さは７００μｍである。異なるビューゾーンの位置が、装置の透過率（即ち、バリア１３のスリット１４の幅）の関数として表される。特に図４ｂから、クロストークのない小さな領域４０と、クロストークのある大きな領域４７と、が存在していることが分かる。クロストークのない領域４０は、ビューゾーンの幅を規定する。得ることが可能な最大のビューゾーンは、透過率ゼロのフロントバリアに対応し、このフロントバリアにおいてビューゾーン４０はほぼ４０°である。特に図４ｂから分かるように、透過率が２５％のとき、ビューゾーン４０は約１０度に減少し、隣接するビューの間に−１０度から＋１０度の範囲のクロストークがある。
【００３８】
図５を参照すると、車での使用に適した表示装置の２つのビューの所望の位置が示されている。デュアルビュー表示装置では、第１のビューゾーン５０および第２のビューゾーン５２は、情報をもたないゾーン５４によって互いに間隔を空けて離されていることが望ましい。この理想的な状況では、ビューゾーン５０とビューゾーン５２との間にクロストークが存在しない。
【００３９】
図６を参照すると、本発明の第１の実施例による表示装置は符号６０で示されている。表示装置はＬＣＤパネル６２を有する。このＬＣＤパネル６２は、第１のガラス基板６６に備えられた２次元マトリックスの画素６４を有する。第２のガラス基板６８は、画素６４上に備えられている。第２のガラス基板６８の外面７０に、ストライプ７２、７４（この例では縦ストライプ）が配されている。ストライプ７２は第１の偏光部Ｐを有し、ストライプ７４は第２の偏光部Ｓを有する。この実施例では、ＳおよびＰは、直交偏光方向の直線偏光に関連するものである。しかし、別の実施例では、ＳおよびＰは、それぞれ左円偏光および右円偏光に関連するものとすることができる。
【００４０】
画素６４は画素ユニット６５に形成される。この実施例では、各画素ユニットは一対の画素６４を有する。互いに隣接する画素ユニット６５は、異なる偏光部を有する。第１の画素ユニット６５を形成する画素６４ａは、ストライプ７２の偏光部と同じ第１の偏光部を有し、第２の画素ユニット６５を形成する画素６４ｂは、ストライプ７４の偏光部と同じ偏光部を有する。画素６４は、ブラックマトリックスとして知られている不透明材料のストリップ、又はドットによって、間隔を空けて互いに離れている。
【００４１】
ストライプ７２と７４との間に、ブラックマトリックスのストライプ７６が存在している。
【００４２】
第１のガラス基板の厚さはｄで示されており、画素６４の間のブラックマトリックスの幅はｂで示されており、ポーラ（polar）の幅はｗで示されており、画素のサイズはｐによって示されている。画素ｊに対応するビューは、以下の角度で始まり、以下の角度で終了する。
【数１】
2007506130.tif 000004
ここで、ｊ＝...,0, 1, 4, 5, 8, 9,...
ガラスと空気との間の面において、屈折が生じる。この屈折によって以下の角度になる。
【数２】
2007506130.tif 000005
【００４３】
ここで、minおよびmaxの記号は、全内部屈折を定めるのに使用される。（図６には、ガラス空気面での屈折は、示されていない）。
【００４４】
図６から、この実施例がクロストーク２２０の領域によって分離される２つのビューゾーン２００、２１０を生じさせることが分かる。
【００４５】
図７に、角度
2007506130.tif 000006
および
2007506130.tif 000007
のプロットが、ＳおよびＰのポーラ（polar）の縦ストライプの幅ｗの関数として示されている。
【００４６】
図７を参照すると、シンボル「＋」は画素１（図６）によって生成される光を示し、シンボル「＊」は画素０（図６）によって生成される光を示す。
【００４７】
クロストーク２２０の領域は、２つのビューゾーンの間の重複する領域として示される。
【００４８】
ビューゾーン２００、２１０はクロストークのない領域である。
【００４９】
第２の実施例が図８に示されており、参照しやすいように、対応する部分は同じ符号が付されている。この実施例は、ガラスの外面のポーラ（polar）の縦ストライプ７２、７４の位置は別にして、図６に示される第１の実施例と同様である。ＰおよびＳのポーラ（polar）は交換されている。図８に示すように、この構造は、中央部で重ならない２つのビュー８２、８４を与える。クロストーク８６，８８の領域は、各ビューゾーン８２、８４の、他方のビューゾーンから離れた側に、位置している。
【００５０】
第２の実施例では、角度は以下のように計算できる。
【数３】
2007506130.tif 000008
ここで、ｊ＝...,−２, −1, ２, ３,...
【００５１】
再び、ガラスと空気との間の面において、屈折が生じる。この屈折により以下の角度が得られる。
【数４】
2007506130.tif 000009
【００５２】
ここで、minおよびmaxの記号は、全内部屈折を特定するために使用される。（図８には、ガラス空気面での屈折は、示されていない）。
【００５３】
図９に、角度
2007506130.tif 000010
および
2007506130.tif 000011
のプロットが、ＳおよびＰのポーラ（polar）の縦ストライプの幅ｗの関数として示されている。
【００５４】
記号「ｘ」は画素０（図８）からの光を示し、記号「＊」は画素１（図８）からの光を示す。
【００５５】
２つの実施例の比較によって、以下のことが示される。第１の実施例６０は２つのビューの間にクロストークを有するが、第２の実施例８０はビューの外側にしかクロストークを有さない。詳細に比較すると、０．５の透過率に対して、２つのビューが両方の実施例で同じであることが示されている。
【００５６】
結論として、自動車での用途のように、２つのビューの間にクロストークを有することが望ましくない場合、本発明の第２の実施例が好ましい実施例である。
【００５７】
一部の自動車用途では、２つのビューが表示画面上に非対象的に位置することが有利である。例えば、このディスプレイが運転手の方に近い場合、又はディスプレイが運転手に向けて回転させられている場合、ビューは対称的には配されない。これは、図１０に示すように、ポーラ（polar）の縦ストライプ７２、７４を一方向に少しだけシフトすることによって簡単に得ることができ、図１０は、本発明の第３実施例を表示装置１０００の形で示している。典型的には、縦ストライプ７２、７４は、隣接する画素を隔てる距離の０倍から２倍だけシフトさせる。
【００５８】
２つのビューゾーン１０１０および１０２０が非対称に配され、クロストーク１０３０、１０４０が各ビューの外側で生じることが分かる。
【００５９】
図６、図８、および図１０に示される実施例は、透過型ＬＣＤにin-cell光学部品を適用することによって、実現できる。２つの異なる偏光状態ＰおよびＳはin-cell偏光子又はin-cellリターダにパターンを付けることによって得ることができ、結果として、偏光状態は線形偏光又は円偏光である。
【００６０】
図１１ａ〜図１１ａは、本発明の第１の態様による表示装置の一部を形成する表示パネルの異なる３つの構造を示す。
【００６１】
図１１は、リターダにパターンが付けられた本発明による、左円偏光および右円偏光の使用に適したディスプレイ３００の断面図を示す。
【００６２】
上部ガラスプレート３１０には、カラーフィルタ３２０、偏光子３３０、およびパターンドリターダ（patterned retarder）３４０が備えられている。下部ガラスプレート３５０には、ＴＦＴ層３６５、パターンドリターダ３６０、および外部偏光子３８０が備えられている。２つのガラスプレートの間の液晶層３７０は、液晶層３７０を通過する光の偏光状態を変化させる。液晶層の光学モードは、ＥＣＢ、ＴＮ、ＳＴＮ、ＶＡＮ又はＩＰＳとすることができる。
【００６３】
ガラスプレート３１０と３５０との間に、偏光子４００、パターンドリターダ３９０、およびＩＴＯ層３９５が存在している。
【００６４】
円偏光が作られるように、リターダ３６０および偏光子３８０が組み合わされている。これは、リターダ３６０が１／４波長プレートであり、リターダ３６０の光軸が偏光子３８０の透過軸に対して４５度傾いていることを意味する。画素のペアと、このペアに隣接する画素のペアとの間に、２つの異なる偏光状態をつくるために、一方のペアでのリターダのダイレクタは、偏光子に対して−４５°でなければならず、他方のペアでは、右円偏光が得られる。また、上部ガラスプレートのin cellパターンドリターダ３９０は、液晶層に依存して、偏光した光が吸収される又は透過するように、偏光子４００に対して４５度向いている。
【００６５】
ＬＣＤの上部において、偏光子３３０と組み合わせられるパターンドリターダ３４０の追加の層がＬＣＤに加えられ、デュアルビュー画像を作る。リターダおよび偏光子は、図６および図８に示されるような透過型ＬＣＤの円偏光を透過又は吸収するように、組み合わされる。
【００６６】
図１１ｂも、左偏光および右偏光を使用する表示パネル３０２を示す。
【００６７】
これら層は、偏光子３８０がパターンドリターダ３６０とガラスプレート３５０との間に位置していることを除いて、図１１ａに示される表示パネルの層と同じである。
【００６８】
図１１ｃは、直線偏光を作る表示パネル３０４を示す。この表示パネルは、表示パネル３００、３０２と同様のパネルである。しかし、パターンドリターダ３６０および偏光子３８０が、パターンド偏光子（patterned polariser）３８５に置き換えられている。同様に、偏光子３３０およびパターンドリターダ３４０が、パターンド偏光子３０５に置き換えられている。
【００６９】
上記のＬＣＤのパターンドin-cellリターダは、光配向によって作ることができる。最初に、偏光したＵＶ光を用いた２つの露光工程によって、光配向層がパターニングされる。この配向層に、リターダ混合物を設ける。リターダ層は、窒素雰囲気中で、ＵＶ露光工程によって架橋される。
【００７０】
或る画素のペアにおいて半波長プレートであるが他の画素のペアにおいてリタデーションを持たないような、パターンドリターダを使用することも可能である。この場合、２つの偏光状態ＳおよびＰは、直線偏光である。このパターンドリターダは、温度パターニング技術又は異性化技術で作ることができる。
【図面の簡単な説明】
【００７１】
【図１】パララックスバリア法を使用して３次元画像を表示する既存のＬＣ装置のデザインの概略断面図を示す。
【図２】レンズ状の画面を使用して３次元画像を表示する既存のＬＣ装置のデザインの概略断面図を示す。
【図３】フロントバリアを使用して３次元画像を表示する第２の既存のＬＣ装置のデザインの概略断面図である。
【図４ａ】図１に示される型式の装置に対してスリット幅をゼロと仮定したときの異なるビューの位置をグラフを用いて示す図である。
【図４ｂ】各ビューの視野が図１に示す装置のバリアのスリットの幅（又は透過率）の関数としてどのように変化するかをグラフを用いて示す図である。
【図５】自動車用途での表示装置の２つのビューの所望の位置を概略的に示す図である。
【図６】２つのビューゾーンを、これらの領域の間のクロストークの領域とともに示す本発明の第１の実施例の概略断面図を示す。
【図７】図６に示される実施例に対して、視野角が透過率に伴なってどのように変化するかをグラフを用いて示す図である。
【図８】２つのビューゾーン１と２との間にクロストークが無い又はほとんど無い本発明の第２実施例を示す。
【図９】図８に示される実施例の視野角が透過率に伴なってどのように変化するかを示す図である。
【図１０】図８に示される実施例と同様ではあるが、バリアのポーラ（polar）の縦ストライプがわずかに右にシフトされている本発明の第３実施例の概略断面を表した図である。
【図１１ａ】本発明による表示装置を形成するのに適した液晶表示パネルの層の積層体を示す概略を表した図である。
【図１１ｂ】本発明による表示装置を形成するのに適した液晶表示パネルの層の積層体を示す概略を表した図である。
【図１１ｃ】本発明による表示装置を形成するのに適した液晶表示パネルの層の積層体を示す概略を表した図である。
【図１】
2007506130.tif 000012
【図２】
2007506130.tif 000013
【図３】
2007506130.tif 000014
【図４ａ】
2007506130.tif 000015
【図４ｂ】
2007506130.tif 000016
【図５】
2007506130.tif 000017
【図６】
2007506130.tif 000018
【図７】
2007506130.tif 000019
【図８】
2007506130.tif 000020
【図９】
2007506130.tif 000021
【図１０】
2007506130.tif 000022
【図１１ａ】
2007506130.tif 000023
【図１１ｂ】
2007506130.tif 000024
【図１１ｃ】
2007506130.tif 000025
【国際調査報告】
2007506130.tif 000026
2007506130.tif 000027